【事件の表示】
　特願２０１０−１５０５１１「遊技機」拒絶査定不服審判事件〔平成２４年　１月１９日出願公開、特開２０１２−　１０９７７〕について、次のとおり審決する。
【結　論】
　本件審判の請求は、成り立たない。
【理　由】
１　手続の経緯・本願発明
　本願は、平成２２年６月３０日の出願であって、平成２４年１０月３０日付けで拒絶査定がなされ、これに対し、平成２５年２月６日に拒絶査定に対する審判請求がなされると同時に明細書及び特許請求の範囲に係る手続補正がなされ、さらに、当審において平成２６年５月２１日付けで拒絶理由通知がなされ、同年７月１８日付けで意見書及び手続補正書が提出されたものである。
　本願の発明は、平成２６年７月１８日付けで補正された特許請求の範囲の請求項１ないし４に記載されたものと認められるところ、その請求項１に記載された発明（以下「本願発明」という。）は、次のとおりのものである。
　
「遊技球が流下する遊技領域が形成された遊技盤が設けられた枠体と、
　始動条件の成立を契機に遊技者に有利な特別遊技を実行する否かの判定を行う遊技制御手段と、
　前記遊技制御手段による判定の結果に基づいて、前記遊技盤に設けられた画像表示装置において所定の演出を行う演出制御手段と、
　遊技者の操作が可能であり、該操作に基づいて前記演出制御手段による演出の態様を変更させることが可能なタッチパネルと、を有し、
　前記タッチパネルは、該タッチパネルの表面に構成される操作領域と、前記操作領域において遊技者が触れる位置を検出する位置情報入力手段と、を備え、
　前記枠体の前面側に、遊技球を貯留させる受け皿が設けられ、
　前記受け皿の上面には、遊技球を貯留させる凹部が形成され、該凹部より遊技者側に前記操作領域が設けられ、
　前記操作領域における所定の一部の範囲に、該操作領域における所定位置を示す凹凸が設けられていることを特徴とする遊技機。」
  
２　引用された刊行物記載の発明
（１）刊行物１について
　これに対して、当審からの拒絶の理由に引用された特開２００６−２３９３０８号公報（以下「刊行物１」という。）には、次の事項が記載されている（下線は、当審にて付与した。以下同じ。）。
　
（１−ａ）「【課題を解決するための手段】
　【０００７】　本発明による遊技機は、遊技状態として、通常遊技状態と通常遊技状態よりも遊技者にとって有利な特定遊技状態とが設定され、遊技球が入賞しやすい入賞容易状態と遊技球が入賞しにくい入賞困難状態とを切替可能な可変入賞装置と、特定遊技状態に移行されたことを条件に可変入賞装置を入賞容易状態へ切替える切替制御手段と、特定遊技状態で行われる特定演出を報知する演出報知手段と、該演出報知手段を制御する演出制御手段とを備える遊技機において、特定遊技状態における入力操作可能期間中の入力操作を検知する操作検知手段と、入力操作可能期間経過後の可変入賞装置の切替可否を判定する判定手段と、判定手段の判定結果と操作検知手段の検知結果に基づいて、可変入賞装置の切替可否を示す特定演出の演出態様を決定する演出態様決定手段と、を有し、
演出制御手段は、演出態様決定手段により決定された演出態様に従い特定演出を行うように演出報知手段を制御する
　
（１−ｂ）「【００１１】また、
操作検知手段は、入力操作として、互いに異なる第１の操作と第２の操作とを検知可能であり、演出態様決定手段は、操作検知手段によって第１の操作が検知された場合と第２の操作が検知された場合とで、異なる演出態様を決定する
【００１２】こうすると、
入力操作を変えることで異なる演出態様を実行することができる
　
（１−ｃ）「【００１７】（遊技機の構成）図１に示す
パチンコ遊技機１は、遊技場（ホール）の所定の設置枠に収容されて設置される外枠２を備えている
外枠２に対して回動可能に設けられたベースドア（内枠）３が配設され、ベースドア３内には、図２に示す遊技盤４が組み込まれている。また、外枠２の正面には、フロント扉５が設けられている。フロント扉５
ベースドア３の正面側に回動可能に設置されている
【００１８】また、パチンコ遊技機１には、プリペイドカードなどが挿入されると、当該プリペイドカードの残高に応じて、遊技球が貸し出されるように構成されたカードユニット８４が隣接して併設されている。
【００１９】フロント扉５は、その中央の略全域にガラス板５ａを備え、その内側の遊技盤４が視認可能な構成とされている。
フロント扉５の下部には
玉貸し操作パネル２８が設けられている
この玉貸し操作パネル２８には、所定の操作を行う選択ボタン（Ａボタン、Ｂボタン）２０ａ，２０ｂおよび決定ボタン２０ｃ（以下、これらのボタンをまとめて指す場合は、操作ボタン２０という）が設けられている
【００２０】また、
フロント扉５の下側には、外枠２に対して開閉可能な皿パネル６が設置されている
この皿パネル６の正面側には
貸し出された遊技球および
払い出される遊技球を受け止める上皿６ａ
が配置されている
　
（１−ｄ）「【００３２】また、遊技盤４は、透光性基板１５からなり、この透光性基板１５は、たとえばポリカーボネートなどの合成樹脂あるいはその他の透明な部材（透光性部材）で形成された透明部を有している。ここで、「透明な部材」とは、光透過率が１００％またはその部材を通して対象を視認可能な程度に光透過率が高いものをいう。本実施形態の遊技領域４ａはその大半が透明遊技領域となっている。この透光性基板１５には、遊技釘８が少なくともその先端部を埋設されて固定され、この透光性基板１５とフロント扉５のガラス板５ａにより形成された領域が遊技領域４ａとされている。そして、この透光性基板１５の背面側には、図２および図５に示すように、
各種画像情報を表示する大画面の表示領域１６ａを有する液晶表示装置（演出報知手段）１６が配置されている
　
（１−ｅ）「【００４５】パチンコ遊技機１では、
始動入賞口スイッチ９Ｓが遊技球の入賞を検出して検出信号を出力したときに主制御回路３０から副制御回路４０に図柄コマンドを出力して、乱数抽出および抽出した乱数を用いた抽選処理を行わせ、その抽選結果に基づき、液晶表示装置１６における特別図柄を用いた識別図柄を決定させている
　
（１−ｆ）「【００４８】
副制御回路４０は、主制御回路３０からコマンドを入力し、その入力したコマンドにしたがい、液晶表示装置１６を用いた識別図柄の可変表示、リーチ演出、予告演出といった演出に必要な制御を行う一方、所定の画像を液晶表示装置１６に表示させる
　
（１−ｇ）「【００５９】ここで、本発明の遊技機１は、
特定遊技状態において、選択ボタン（Ａボタン、Ｂボタン）２０ａ，２０ｂを用いた「押しボタンゲーム」が実行可能となっている
ゲームの開始を示すゲーム開始画像を表示した後、遊技者による選択操作を促す選択画像を表示し、遊技者の選択操作または所定時間の経過を待って、特定演出を実行する
　
（１−ｈ）「【００６５】また、液晶表示装置１６、スピーカ１８Ｌ，１８Ｒ、装飾ランプ１９Ｌ，１９Ｒは、決定された特定演出を報知する演出報知手段を構成し、決定された特定選出に対応する画像、音声、ランプ点滅を用いて報知する。そして、
副制御回路４０が、演出報知手段を制御する演出制御手段を構成している
　
（１−ｉ）「【００６９】パチンコ遊技機１は、通常遊技状態の遊技者にとって有利な特別態様として、上述の確変遊技状態や時短遊技状態といった特別遊技状態を有している。」
　
（１−ｊ）「【０１２８】また、
Ａボタン２０ａ，Ｂボタン２０ｂを備え、入力操作を変えることで異なる演出態様を実行する
　
（１−ｋ）「【０１３１】また、上記実施形態にあっては、
操作手段として
タッチパネル等を備え
タッチパネルを用いて、入力操作を行うようにしても良い
　
（１−ｌ）上記（１−ｋ）に記載の「タッチパネル」は、複数のボタンや十字キーと同等の機能を有するものであるから、「該タッチパネルの表面に構成される操作領域と、前記操作領域において遊技者が触れる位置を検出する位置情報入力手段と」を備えることは、タッチパネルが当然有するはずの自明の構成である。
 
　上記の事項を総合すると、刊行物１には、下記の発明（以下「刊行物１発明」という。）が記載されているといえる。
　
「遊技場の所定の設置枠に収容されて設置される外枠２を備え、該外枠２の正面にフロント扉５が設けられ、該外枠に対して回動可能に設けられた内枠３内に遊技盤４が組み込まれており、
　始動入賞口スイッチ９Ｓが遊技球の入賞を検出して検出信号を出力したときに、副制御回路４０に図柄コマンドを出力し、乱数抽出および抽出した乱数を用いた抽選処理を行い、その抽選結果に基づき、演出報知手段１６における特別図柄を用いた識別図柄を決定する、主制御回路３０と、
　演出態様決定手段により決定された演出態様に従い特定演出を行うように演出報知手段１６を制御する、副制御回路４０と、
　入力操作を変えることで異なる演出態様を実行することができるタッチパネルと、を有し、
　前記タッチパネルは、フロント扉５の下部に配置され、該タッチパネルの表面に構成される操作領域と、前記操作領域において遊技者が触れる位置を検出する位置情報入力手段と、を備え、
　フロント扉５の下側に、皿パネル６が外枠２に対して開閉可能に設けられ、該皿パネル６の正面側に、遊技球を受け止める上皿６ａが配置されている、パチンコ遊技機１。」
　
（２）刊行物２について
　同じく、当審からの拒絶の理由に引用された特開平１１−１５５９９号公報（以下「刊行物２」という。）には、次の事項が記載されている。
　
（２−ａ）「【０００１】【発明の属する技術分野】本発明は、
操作面へのタッチ位置の座標データを出力するタッチ操作情報出力装置に関する
　
（２−ｂ）「【００１２】【発明の実施の形態】以下、本発明を
車両用ディスプレイ装置に適用した一実施例
　図２はシステムの全体構成を示している。この図２において、
タッチトレーサ１は
タッチ操作に応じてタッチ操作情報を出力する
　【００１３】また、車両の例えばダッシュボードにはディスプレイ装置２が配置されている。このディスプレイ装置２は、図示しないマイクロコンピュータを主体とする表示手段２ａを備え、タッチトレーサ１からのタッチ操作情報に応じて所定の画面を表示するようになっている。」
　
（２−ｃ）「【００２８】上記構成のものによれば、
タッチトレーサ１の入力パッド３上に突条部４ａ〜４ｃを形成するようにしたので
入力パッド３に対するタッチ操作位置を認識することができる
運転者はタッチトレーサ１に対するブラインド操作が可能となる
　
　上記の事項から、刊行物２には、下記の技術的事項（以下「刊行物２に記載された事項」ともいう。）が記載されているといえる。
「操作面へのタッチ位置の座標データを出力するタッチ操作情報出力装置としてのタッチトレーサ１において、ブラインド操作を可能とするためにタッチトレーサ１の入力パッド３上に突条部４ａ〜４ｃを形成すること。」
　
３　対比
　本願発明と刊行物１発明と対比する。
（１）刊行物１発明の「遊技場の所定の設置枠に収容されて設置される外枠２を備え、外枠２の正面にフロント扉５が設けられ、外枠に対して回動可能に設けられた内枠３内に遊技盤４が組み込まれており」の「外枠２」及び「内枠３」は、本願発明の「遊技球が流下する遊技領域が形成された遊技盤が設けられた枠体」に相当する。
　
（２）刊行物１発明の「始動入賞口スイッチ９Ｓが遊技球の入賞を検出して検出信号を出力したときに」は、本願発明の「始動条件の成立を契機に」に相当し、刊行物１発明の「乱数抽出および抽出した乱数を用いた抽選処理を行わせ、その抽選結果に基づき、演出報知手段１６における特別図柄を用いた識別図柄を決定させる」は、本願発明の「遊技者に有利な特別遊技を実行する否かの判定を行う」に相当する。
　したがって、刊行物１発明の「（始動入賞口スイッチ９Ｓが遊技球の入賞を検出して検出信号を出力したときに、副制御回路４０に図柄コマンドを出力し、乱数抽出および抽出した乱数を用いた抽選処理を行い、その抽選結果に基づき、演出報知手段１６における特別図柄を用いた識別図柄を決定する）主制御回路３０」は、本願発明の「（始動条件の成立を契機に遊技者に有利な特別遊技を実行する否かの判定を行う）遊技制御手段」に相当する。
　
（３）刊行物１発明の「特定演出」は、本願発明の「前記遊技盤に設けられた画像表示装置において」「行う」「所定の演出」に相当する。
　また、刊行物１発明において、「演出態様決定手段により決定された演出態様に従い」「特定演出」が行われる前提として、「主制御回路３０（遊技制御手段）による判定の結果に基づいて」演出を行うことは明らかである。
　したがって、刊行物１発明の「（演出態様決定手段により決定された演出態様に従い特定演出を行うように演出報知手段１６を制御する）副制御回路４０」は、本願発明の「（前記遊技制御手段による判定の結果に基づいて、前記遊技盤に設けられた画像表示装置において所定の演出を行う）演出制御手段」に相当する。
  　
（４）刊行物１発明の「入力操作を変えることで異なる演出態様を実行することができるタッチパネル」は、本願発明の「遊技者の操作が可能であり、該操作に基づいて前記演出制御手段による演出の態様を変更させることが可能なタッチパネル」に相当する。
　
（５）刊行物１発明の「遊技球を受け止める上皿６ａ」は、本願発明の「遊技球を貯留させる受け皿」に相当し、かつ、該「上皿６ａ」の上面に「遊技球を貯留させる凹部が形成され」ていることは自明の構成である。
　したがって、刊行物１発明の「フロント扉５の下側に、皿パネル６が外枠２に対して開閉可能に設けられ、該皿パネル６の正面側に、遊技球を受け止める上皿６ａが配置されている」構成は、本願発明の「前記枠体の前面側に、遊技球を貯留させる受け皿が設けられ、前記受け皿の上面には、遊技球を貯留させる凹部が形成され」ている構成に相当する。
　
（６）刊行物１発明の「パチンコ遊技機１」は、本願発明の「遊技機」に相当する。
　
（７）上記（１）〜（６）から、
　本願発明と刊行物１発明とは、
「遊技球が流下する遊技領域が形成された遊技盤が設けられた枠体と、
　始動条件の成立を契機に遊技者に有利な特別遊技を実行する否かの判定を行う遊技制御手段と、
　前記遊技制御手段による判定の結果に基づいて、前記遊技盤に設けられた画像表示装置において所定の演出を行う演出制御手段と、
　遊技者の操作が可能であり、該操作に基づいて前記演出制御手段による演出の態様を変更させることが可能なタッチパネルと、を有し、
　前記タッチパネルは、該タッチパネルの表面に構成される操作領域と、前記操作領域において遊技者が触れる位置を検出する位置情報入力手段と、を備え、
　前記枠体の前面側に、遊技球を貯留させる受け皿が設けられ、
　前記受け皿の上面には、遊技球を貯留させる凹部が形成されている、遊技機。」
で一致し、下記の２点で相違する。
　
相違点１：本願発明では、受け皿の上面に、遊技球を貯留させる凹部より遊技者側に操作領域が設けられているのに対して、刊行物１発明では、タッチパネル（操作領域）はフロント扉５の下部に配置されている点。
　
相違点２：本願発明では、操作領域における所定の一部の範囲に、該操作領域における所定位置を示す凹凸が設けられているのに対して、刊行物１発明では、そのような構成を有しない点。
　
４　当審の判断
（１）相違点１について
　遊技機において、受け皿部の上面や前面など、受け皿部付近に操作手段を配置することは周知技術である（例えば、特開２００７−２９５９５号公報（【００４０】「前記
上側球受け皿３６は
上皿３６１と
上皿ケース３６３とで構成されて
ガラス枠Ｇの下方に設けられている
上皿ケース３６３は
上面３６４ａ、側面３６４ｂ、底面３６４ｃを構成する壁面３６４によって
遊技機の前方（遊技者側）へ膨出した中空形状とされたものからなる
上面３６４ａは、前記上皿ケース３６３の略右半分に蓋をするように設けられ、略左半分については内部が窪んだ上皿３６１が嵌着されている
略右半分の上面３６４ａには、操作部用開口部３６５
が形成されている
操作部用開口部３６５には操作ボタン３７が挿通されている
受け皿部４の上部
操作部１８
上受け皿５の前面左側
選択スイッチ１０
　そして、受け皿の上面に設けられた操作領域の位置を、遊技球を貯留させる凹部より遊技者側とするなどの、操作手段（操作領域）の配置変更は、遊技者の操作のしやすさを考慮して当業者が適宜決定できる設計的事項にすぎない。
　したがって、刊行物１発明において、相違点１に係る構成を採用することは、当業者が周知技術に基づいて適宜なし得たことである。
　
（２）相違点２について
　刊行物２には、上記２（２）のとおり、「操作面へのタッチ位置の座標データを出力するタッチ操作情報出力装置としてのタッチトレーサ１において、ブラインド操作を可能とするためにタッチトレーサ１の入力パッド３上に突条部４ａ〜４ｃを形成すること。」が記載されており、「入力パッド３」及び「突条部４ａ、４ｂ、４ｃ」はそれぞれ「操作領域」及び「操作領域における所定位置を示す凹凸」に相当するから、相違点２に係る事項は刊行物２に記載されている。
　また、キーボードの「Ｆ」「Ｊ」の位置や、テンキーの「５」の位置に突部が設けられているように、操作入力手段において、ブラインド操作を可能とするために、操作領域における所定位置を示す凹凸を操作領域に設けることは周知技術である。
　そして、ブラインド操作を可能とするなど、操作入力を容易にするために適宜の手段を採用することは、当業者の通常の創作能力の発揮であって、この点に進歩性はないといえる。
　したがって、刊行物１発明において、相違点２に係る構成を採用することは、当業者が刊行物２に記載された事項及び周知技術に基づいて適宜なし得たことである。
　
（３）効果について
　本願発明が奏する効果は、当業者が刊行物１発明、刊行物２に記載された事項及び周知技術から予測し得る範囲のものであって、格別のものではない。
　
（４）請求人の主張について
　請求人は平成２６年７月１８日付け意見書（３頁（２）本願発明と刊行物に記載された発明との対比）において「（本願発明において）タッチパネルの操作領域を設ける位置が『手前』に特定されることによって、『操作領域が見え難い』という課題が想定されます。・・・引例１の選択ボタン２０ａ、２０ｂがタッチパネルで構成されていたとして、本願発明のような課題は想定されません。」と主張する。
　しかし、本願明細書には「遊技領域と演出ボタンとは離れた位置に設けられているので・・」（段落【０００５】）とあるだけで、「受け皿の上面の凹部より遊技者側の操作領域が（フロント扉の下部の操作領域よりも）見え難い」との課題は本願明細書に記載されていない。
　そして、タッチパネルの操作領域が「受け皿の上面の凹部より遊技者側」ではなく「フロント扉の下部」であったとしても、遊技領域や画像表示装置とは離れた位置であり、「遊技者がいったん遊技領域から目を離す」ことがあることに変わりはないから、「見え難い」や「見え易い」との主張は失当というべきである。
　したがって、請求人の主張は採用できない。
　
（５）まとめ
　以上のとおり、請求項１発明は、当業者が刊行物１発明、刊行物２に記載された事項及び周知技術に基づいて容易に発明をすることができたものである。
　
５　むすび
　以上のとおり、本願発明は、当業者が刊行物１発明、刊行物２に記載された事項及び周知技術に基づいて容易に発明をすることができたものであるから、特許法第２９条第２項の規定により特許を受けることができない。
　したがって、本願のその余の請求項に係る発明について検討するまでもなく、本願は拒絶すべきものである。
　よって、結論のとおり審決する。